(57)【要約】【課題】提供元における指定によって特定される情報が掲載された情報媒体を提供先毎に提供する。【解決手段】情報媒体提供サーバ２１において、端末１１−１〜１１−ｎに提供される画面上における指定に従って、該指定に応じた素材情報を用いて情報媒体データを組み立て、この情報媒体データを印刷システム３０に出力し、印刷システム３０において、情報媒体提供サーバ２１から出力された情報媒体データによってダイレクトメールを作成し、端末１１−１〜１１−ｎに提供される画面上における指定に基づく提供先に提供する。【選択図】  図１
2004220401.tif 000002
【特許請求の範囲】
【請求項１】
提供先に応じた情報が掲載された情報媒体を提供する情報媒体提供システムであって、
ネットワークに接続可能な端末と、
ネットワークに接続可能に構成され、前記端末に提供される画面上における指定に従って、該指定に応じた情報素材を用いて情報媒体データを組み立てる情報媒体提供手段とを有し、
前記情報媒体データによって作成される情報媒体が、前記端末に提供される画面上における指定に基づく提供先に提供されることを特徴とする情報媒体提供システム。
【請求項２】
請求項１に記載の情報媒体提供システムにおいて、
前記情報媒体提供手段は、前記情報媒体の提供方法を指定するための情報画面を前記端末に提供し、該情報画面における指定に基づく方法及び該方法に応じたタイミングで前記情報媒体が前記提供先に提供されるように前記情報媒体データあるいは前記情報媒体を出力することを特徴とする情報媒体提供システム。
【請求項３】
請求項２に記載の情報媒体提供システムにおいて、
前記情報媒体提供手段は、前記情報画面における指定に基づいて、前記情報媒体が提供される旨を、該情報媒体の提供先に電子メールにて通知することを特徴とする情報媒体提供システム。
【請求項４】
請求項１に記載の情報媒体提供システムにおいて、
前記情報媒体提供手段は、前記情報媒体データをＰＤＦ形式に加工し、前記端末に送信することを特徴とする情報媒体提供システム。
【請求項５】
請求項４に記載の情報媒体提供システムにおいて、
前記情報媒体提供手段は、前記端末に送信された前記情報媒体データの数に応じて課金することを特徴とする情報媒体提供システム。
【請求項６】
ネットワークを介して端末に接続可能に構成され、提供先に応じた情報が掲載された情報媒体あるいは該情報媒体を作成するための情報媒体データを出力する情報媒体提供サーバであって、
前記端末に提供される画面上における指定に従って、該指定に応じた情報素材及び前記情報媒体の提供先に関する情報を用いて前記情報媒体データを組み立てることを特徴とする情報媒体提供サーバ。
【請求項７】
請求項６に記載の情報媒体提供サーバにおいて、
前記情報媒体の提供方法を指定するための情報画面を前記端末に提供し、該情報画面における指定に基づく方法及び該方法に応じたタイミングで前記情報媒体が前記提供先に提供されるように前記情報媒体データあるいは前記情報媒体を出力することを特徴とする情報媒体提供サーバ。
【請求項８】
請求項７に記載の情報媒体提供サーバにおいて、
前記情報画面における指定に基づいて、前記情報媒体が提供される旨を、該情報媒体の提供先に電子メールにて通知することを特徴とする情報媒体提供サーバ。
【請求項９】
請求項６に記載の情報媒体提供サーバにおいて、
前記情報媒体データをＰＤＦ形式に加工し、前記端末に送信することを特徴とする情報媒体提供サーバ。
【請求項１０】
請求項９に記載の情報媒体提供サーバにおいて、
前記端末に送信された前記情報媒体データの数に応じて課金することを特徴とする情報媒体提供サーバ。
【発明の詳細な説明】
【０００１】
【発明の属する技術分野】
本発明は、ダイレクトメールやカタログ等の情報媒体を提供する情報媒体提供システム及び情報媒体提供サーバに関し、特に、提供先に応じた情報が掲載されたダイレクトメールやカタログ等の情報媒体を提供する情報媒体提供システム及び情報媒体提供サーバに関する。
【０００２】
【従来の技術】
従来より、特定の顧客に対して所定の情報を提供する場合、例えば、その情報が掲載された印刷物をダイレクトメールとして顧客に送付し、それにより、所定の情報を顧客に提供することが行われている。また、その他に、顧客の要望に応じて、情報の提供元にて予め作製されたカタログを送付することも行われている。
【０００３】
また、近年においては、印刷システムの性能向上に伴い、いわゆるオンデマンド印刷と呼ばれる処理が可能となっており、それを用いて、複数の顧客に対してそれぞれ同一または異なる情報が印刷された印刷物を作製し、配布することが行われるようになってきている。
【０００４】
このようなオンデマンド印刷を用いてカタログ等の印刷物を作製する場合は、例えば、提供可能な素材情報を複数設定しておき、この素材情報の中から、カタログ等の印刷物の提供先となる顧客の属性情報や履歴情報に基づいて所定数の素材情報を特定し、特定された素材情報が掲載されたカタログ等の印刷物を作製することになる（例えば、特許文献１参照。）。なお、上述したような素材情報や顧客の属性情報、顧客の履歴情報はそれぞれデータベースとして登録されており、また、素材情報と顧客の属性情報及び履歴情報が対応づけられたテーブルが設けられており、このテーブルが参照されて顧客の属性情報や履歴情報に対応する素材情報が特定される。
【０００５】
これにより、カタログ等の印刷物の提供先となる顧客は、この印刷物によって自分に合った情報を得ることが可能となる。
【０００６】
【特許文献１】
特開２００２−８２９３１号公報
【０００７】
【発明が解決しようとする課題】
しかしながら、上述したようなオンデマンド印刷を用いてカタログ等の印刷物を作製し、顧客に配布するものにおいては、印刷物に掲載される情報が顧客の属性情報や履歴情報に基づいて特定されてしまうため、例えば、カタログ等の印刷物の提供元のセールスマン等が、自分が把握している顧客の情報に応じて提供する情報を顧客毎に設定することができないといったように、カタログ等の印刷物の提供元において、顧客の属性情報や履歴情報によらずに顧客毎に印刷物に掲載される情報を特定することができないという問題点がある。
【０００８】
本発明は、上述したような従来の技術が有する問題点に鑑みてなされたものであって、提供先となる顧客の属性情報や履歴情報等の提供先に関する情報のみならず、提供元における指定によって特定される情報が掲載された情報媒体を提供先毎に提供することができる情報媒体提供システム及び情報媒体提供サーバを提供することを目的とする。
【０００９】
【課題を解決するための手段】
上記目的を達成するために本発明は、
提供先に応じた情報が掲載された情報媒体を提供する情報媒体提供システムであって、
ネットワークに接続可能な端末と、
ネットワークに接続可能に構成され、前記端末に提供される画面上における指定に従って、該指定に応じた情報素材を用いて情報媒体データを組み立てる情報媒体提供手段とを有し、
前記情報媒体データによって作成される情報媒体が、前記端末に提供される画面上における指定に基づく提供先に提供されることを特徴とする。
【００１０】
また、前記情報媒体提供手段は、前記情報媒体の提供方法を指定するための情報画面を前記端末に提供し、該情報画面における指定に基づく方法及び該方法に応じたタイミングで前記情報媒体が前記提供先に提供されるように前記情報媒体データあるいは前記情報媒体を出力することを特徴とする。
【００１１】
また、前記情報媒体提供手段は、前記情報画面における指定に基づいて、前記情報媒体が提供される旨を、該情報媒体の提供先に電子メールにて通知することを特徴とする。
【００１２】
また、前記情報媒体提供手段は、前記情報媒体データをＰＤＦ形式に加工し、前記端末に送信することを特徴とする。
【００１３】
また、前記情報媒体提供手段は、前記端末に送信された前記情報媒体データの数に応じて課金することを特徴とする。
【００１４】
また、ネットワークを介して端末に接続可能に構成され、提供先に応じた情報が掲載された情報媒体あるいは該情報媒体を作成するための情報媒体データを出力する情報媒体提供サーバであって、
前記端末に提供される画面上における指定に従って、該指定に応じた情報素材及び前記情報媒体の提供先に関する情報を用いて前記情報媒体データを組み立てることを特徴とする。
【００１５】
また、前記情報媒体の提供方法を指定するための情報画面を前記端末に提供し、該情報画面における指定に基づく方法及び該方法に応じたタイミングで前記情報媒体が前記提供先に提供されるように前記情報媒体データあるいは前記情報媒体を出力することを特徴とする。
【００１６】
また、前記情報画面における指定に基づいて、前記情報媒体が提供される旨を、該情報媒体の提供先に電子メールにて通知することを特徴とする。
【００１７】
また、前記情報媒体データをＰＤＦ形式に加工し、前記端末に送信することを特徴とする。
【００１８】
また、前記端末に送信された前記情報媒体データの数に応じて課金することを特徴とする。
【００１９】
（作用）
上記のように構成された本発明においては、端末に提供される画面上における指定に従って、該指定に応じた情報素材を用いて情報媒体データが組み立てられ、この情報媒体データによって作成される情報媒体が、端末に提供される画面上における指定に基づく提供先に提供されるので、情報媒体の提供元において、情報媒体に掲載すべき情報素材を指定すれば、その情報素材が掲載された情報媒体が提供先に提供されることになる。
【００２０】
このように、情報媒体の提供元における指定に基づいて情報媒体データが組み立てられるので、提供先となる顧客の属性情報や履歴情報等の提供先に関する情報のみならず、提供元における指定によって特定される情報が掲載された情報媒体を提供先毎に提供することができる。
【００２１】
また、情報媒体の提供方法を指定するための情報画面における指定に基づく方法及び該方法に応じたタイミングで情報媒体が提供先に提供されるように情報媒体データあるいは情報媒体が出力される場合は、指定された方法及びタイミングで情報媒体が提供先に提供されることになる。
【００２２】
また、情報画面における指定に基づいて、情報媒体が提供される旨が、該情報媒体の提供先に電子メールにて通知される場合は、情報媒体が提供される旨が該情報媒体の提供先にて予め認識されることになる。
【００２３】
また、情報媒体データをＰＤＦ形式に加工し、端末に送信する場合は、端末に送信された情報媒体データを、端末に接続されたプリンタ等にて印字出力すれば、情報媒体を提供先に早急に提供することが可能となる。
【００２４】
【発明の実施の形態】
以下に、本発明の実施の形態について図面を参照して説明する。
【００２５】
図１は、本発明の情報媒体提供システムの実施の一形態を示す図である。
【００２６】
本形態は図１に示すように、情報の提供元となる情報提供企業１０内にてネットワーク１２に接続可能に設けられた端末１１−１〜１１−ｎと、情報提供企業１０が提供元となる情報や該情報の提供先に関する情報を管理するデータ管理会社２０内にて、専用線を介して情報提供企業１０のネットワーク１２と接続可能に設けられ、ネットワーク１２を介して端末１１−１〜１１−ｎに所定の情報画面を提供し、この情報画面上にて指定された条件に基づいて、提供すべき情報及びその提供先を設定し、提供すべき情報とその提供先に関する情報とを組み合わせて情報媒体データとして提供情報データベース２９に登録する情報媒体提供サーバ２１と、専用線を介して情報媒体提供サーバ２１と接続可能に設けられ、情報媒体提供サーバ２１にて設定されて提供情報データベース２９に登録された情報媒体データを用いてダイレクトメールやカタログの情報媒体を作成し、発送する印刷システム３０と、専用線を介して情報媒体提供サーバ２１と接続可能に設けられ、情報媒体提供サーバ２１におけるシステム管理を行うための端末４０とから構成されている。また、情報媒体提供サーバ２１は、ネットワーク１２を介して端末１１−１〜１１−ｎに提供され、端末１１−１〜１１−ｎにて提供先に提供すべき情報やその情報の提供先を指定するための情報画面を管理するサイト管理部２２と、情報の提供先に関する情報が登録された顧客情報データベース２７及び提供可能な素材情報やこの素材情報を用いて情報媒体データを組み立てるためのテンプレート等が登録された情報素材データベース２８を管理するデータベース管理部２３と、サイト管理部２２にて管理される情報画面上における指定に基づいて、データベース管理部２３にて管理される情報を用いて、提供先に提供すべき情報を提供先毎に組み立て、組み立てた情報を提供先に関する情報と組み合わせて情報媒体データとして提供情報データベース２９に登録する提供情報組立部２４と、サイト管理部２２から端末１１−１〜１１−ｎに提供された情報画面上における指定に従って、提供情報データベース２９に登録された情報媒体データをＰＤＦ形式のデータに変換して端末１１−１〜１１−ｎに送信したり、提供情報データベース２９に登録された情報媒体データを印刷データとして印刷システム３０に出力したりする提供情報管理部２５と、提供情報データベース２９に登録された情報媒体データが、印刷システム３０からダイレクトメールやカタログ等の情報媒体として発送される旨をネットワーク１２及びインターネット（不図示）を介して情報の提供先に電子メールによって通知するメール配信部２６とから構成されている。
【００２７】
以下に、上記のように構成された情報媒体提供システムにおける情報媒体提供方法について説明する。
【００２８】
図２は、図１に示した情報媒体提供システムにおける情報媒体提供方法を説明するためのフローチャートであり、情報の提供先に発送される情報媒体となるダイレクトメールを端末１１−１にて作成する場合を示す。
【００２９】
端末１１−１にて、ダイレクトメールを作成するための情報媒体提供サイトにアクセスすると（ステップＳ１）、情報媒体提供サーバ２１のサイト管理部２２から、情報媒体提供サイトにアクセスするためのログイン画面が送信され（ステップＳ２）、端末１１−１にて受信、表示される（ステップＳ３）。
【００３０】
端末１１−１にて受信、表示されたログイン画面には、ＩＤ及びパスワードを入力するための領域が設けられており、この領域に予め決められたＩＤ及びパスワードを入力し、送信すると（ステップＳ４）、情報媒体提供サーバ２１にて端末１１−１から送信されてきたＩＤ及びパスワードが受信され（ステップＳ５）、受信されたＩＤ及びパスワードが正しいかどうかが判断される（ステップＳ６）。ここで、ＩＤ及びパスワードは、情報提供企業１０とデータ管理会社２０との間において、端末１１−１〜１１−ｎを操作する情報提供企業１０のセールスマン毎にそれぞれ個別に予め設定されており、情報媒体提供サーバ２１にて受信されたＩＤ及びパスワードが予め設定されたものである場合に、このＩＤ及びパスワードが正しいと判断され、また、情報媒体提供サーバ２１にて受信されたＩＤ及びパスワードが予め設定されたものではない場合に、このＩＤ及びパスワードが正しくないと判断されることになる。なお、ＩＤ及びパスワードが、端末１１−１〜１１−ｎを操作する情報提供企業１０のセールスマンにて共通に設定されることも考えられるが、ＩＤ及びパスワードがセールスマン毎に個別に設定されていれば、ＩＤ及びパスワードによってそのセールスマンが担当する顧客を特定することができる。
【００３１】
情報媒体提供サーバ２１にて受信されたＩＤ及びパスワードが正しいと判断された場合、ダイレクトメールの提供方法やその提供先等を特定するためのベース条件指定画面が、情報媒体提供サーバ２１のサイト管理部２２から送信され（ステップＳ７）、端末１１−１にて受信、表示される（ステップＳ８）。
【００３２】
図３は、図１に示した情報媒体提供サーバ２１から送信され、端末１１−１にて受信、表示されるベース条件指定画面の一例を示す図である。
【００３３】
図３に示すように、本形態におけるベース条件指定画面においては、ダイレクトメールの提供方法を指定するための領域１ａと、ダイレクトメールの目的を指定するための領域１ｂと、ダイレクトメールの発送対象となる顧客の性別を指定するための領域１ｃとが設けられている。ここで、領域１ａにてダイレクトメールの提供方法を指定することになるが、その選択肢としては、例えば、ダイレクトメールを発送するのみの場合と、ダイレクトメールを発送する前に、ダイレクトメールが発送される旨を通知するための電子メールを送信する場合と、ダイレクトメールを発送する前に、ダイレクトメールが発送される旨を、まず電子メールにて通知し、次に、携帯電話機のメールにて通知する場合等が考えられる。以下、これらの選択肢をアクションプランと称する。また、領域１ｂにてダイレクトメールの目的を指定することになるが、ダイレクトメールの目的としては、例えば、新規ユーザへの来店礼状や既存ユーザへの来店礼状、イベント案内、契約御礼礼状、メンテナンス通知、新車案内、営業担当者変更通知等が考えられる。なお、これらの領域１ａ〜１ｃにおいては、条件を指定しないことも可能である。
【００３４】
一方、情報媒体提供サーバ２１にて受信されたＩＤ及びパスワードが正しくないと判断された場合は、端末１１−１から送信されてきたＩＤ及びパスワードが正しくない旨が通知され（ステップＳ９）、端末１１−１にてその旨が表示される（ステップＳ１０）。
【００３５】
図３に示したようなベース条件指定画面の領域１ａ〜１ｃにて、それぞれ条件が指定され（ステップＳ１１）、この条件が情報媒体提供サーバ２１にて受信されると（ステップＳ１２）、次に、送付されるダイレクトメールの形状を指定するための形状指定画面がサイト管理部２２から送信され（ステップＳ１３）、端末１１−１にて受信、表示される（ステップＳ１４）。
【００３６】
図４は、図１に示した情報媒体提供サーバ２１から送信され、端末１１−１にて受信、表示される形状指定画面の一例を示す図である。
【００３７】
図４に示すように、本形態における形状指定画面においては、送付可能なダイレクトメールの形状が選択可能に複数掲載されており、この中から所望のダイレクトメールの形状を指定することになる。
【００３８】
図４に示したような形状指定画面に掲載されたダイレクトメールの形状の中から所望の形状が指定され（ステップＳ１５）、この形状指定が情報媒体提供サーバ２１にて受信されると（ステップＳ１６）、次に、送付されるダイレクトメールのテンプレートを指定するためのテンプレート指定画面がサイト管理部２２から送信され（ステップＳ１７）、端末１１−１にて受信、表示される（ステップＳ１８）。
【００３９】
図５は、図１に示した情報媒体提供サーバ２１から送信され、端末１１−１にて受信、表示されるテンプレート指定画面の一例を示す図である。
【００４０】
図５に示すように、本形態におけるテンプレート指定画面においては、ステップＳ１５にて指定された形状のダイレクトメールを作成するためのテンプレートが選択可能に複数掲載されており、この中から所望のテンプレートを指定することになる。なお、テンプレート指定画面に掲載されるテンプレートは、情報素材データベース２８に予め登録されており、サイト管理部２２において、情報素材データベース２８に登録されたテンプレートを選択するためのテンプレート指定画面が作成、送信されることになる。
【００４１】
図５に示したようなテンプレート指定画面に掲載されたテンプレートの中から所望のテンプレートが指定され（ステップＳ１９）、このテンプレート指定が情報媒体提供サーバ２１にて受信されると（ステップＳ２０）、次に、ステップＳ１９にて指定されたテンプレートに従ってダイレクトメールに掲載される情報素材を指定するための素材指定画面がサイト管理部２２から送信され（ステップＳ２１）、端末１１−１にて受信、表示される（ステップＳ２２）。
【００４２】
図６は、図１に示した情報媒体提供サーバ２１から送信され、端末１１−１にて受信、表示される素材指定画面の一例を示す図である。
【００４３】
図６に示すように、本形態における素材指定画面においては、ステップＳ１９にて指定されたテンプレートに、ステップＳ１１にて指定された条件に基づいて設定された情報素材が貼り付けられたダイレクトメール掲載領域２ａ，２ｂと、ステップＳ１９にて指定されたテンプレートに貼り付け可能な情報素材が、そのダイレクトメールの貼り付け位置毎にそれぞれ選択可能に掲載された情報素材掲載領域３とから構成されている。例えば、情報素材掲載領域３の▲１▼を指定すると、ダイレクトメール掲載領域２ａ，２ｂに掲載されたダイレクトメールの領域４ａに貼り付け可能な情報素材が表示され、また、情報素材掲載領域３の▲２▼を指定すると、ダイレクトメール掲載領域２ａ，２ｂに掲載されたダイレクトメールの領域４ｂに貼り付け可能な情報素材が表示されるというように、ステップＳ１９にて指定されたテンプレートに貼り付け可能な情報素材が、そのダイレクトメールの貼り付け位置毎にそれぞれ選択可能に掲載される。なお、素材指定画面に掲載される情報素材においては、ステップＳ１１にて指定された条件に基づいて情報素材データベース２８から抽出され、サイト管理部２２において、情報素材データベース２８から抽出された情報素材を選択するための素材指定画面が作成、送信されることになる。
【００４４】
図６に示したような素材指定画面を用いて、ダイレクトメールに掲載される情報素材が指定され（ステップＳ２３）、この素材指定が情報媒体提供サーバ２１にて受信されると（ステップＳ２４）、次に、指定された情報素材が掲載されたダイレクトメールの提供先を指定するための提供先指定画面がサイト管理部２２から送信され（ステップＳ２５）、端末１１−１にて受信、表示される（ステップＳ２６）。
【００４５】
図７は、図１に示した情報媒体提供サーバ２１から送信され、端末１１−１にて受信、表示される提供先指定画面の一例を示す図である。
【００４６】
図７に示すように、本形態における提供先指定画面においては、ステップＳ１１における指定をさらに絞り込む場合にその条件を指定するための領域５が設けられており、この領域にて、提供先を特定するための条件をさらに指定し、ダイレクトメールの提供先を絞り込むことになる。
【００４７】
ステップＳ１１における指定をさらに絞り込む場合は（ステップＳ２７）、提供先指定画面の領域５にて条件を指定し（ステップＳ２８）、その後、提供先指定画面に掲載された検索ボタンを押下すると（ステップＳ２９）、情報媒体提供サーバ２１のデータベース管理部２３において、指定された条件と顧客情報データベース２７に登録された提供先に関する情報とを照合することにより、指定された条件に合う提供先が検索され（ステップＳ３０）、指定された条件に合う提供先の一覧が掲載された提供先一覧画面がサイト管理部２２から送信され（ステップＳ３１）、端末１１−１にて受信、表示される（ステップＳ３２）。
【００４８】
図８は、図１に示した情報媒体提供サーバ２１から送信され、端末１１−１にて受信、表示される提供先一覧画面の一例を示す図である。
【００４９】
図８に示すように、本形態における提供先一覧画面においては、ステップＳ３０にて顧客情報データベース２７から検索された提供先に関する情報からなる一覧表６ａが掲載されているとともに、ステップＳ２８にて指定した条件が掲載された領域５が設けられている。また、一覧表６ａには、一覧表６ａに掲載された提供先毎に、ダイレクトメールを提供するかどうかを指定するための領域６ｂが設けられており、例えば、ダイレクトメールを提供するかどうかをチェックボタンによって指定することができる。
【００５０】
ステップＳ３２にて端末１１−１に表示された提供先一覧画面に掲載された一覧表６ａに含まれる提供先の全てにダイレクトメールを提供する場合は（ステップＳ３３）、提供先一覧画面に掲載された確定ボタンを押下し（ステップＳ３４）、また、ステップＳ３２にて端末１１−１に表示された提供先一覧画面に掲載された一覧表６ａに含まれる提供先のうちダイレクトメールを提供しない提供先が存在する場合は、その提供先のチェックを解除し（ステップＳ３５）、その後、確定ボタンを押下する。
【００５１】
また、ステップＳ２７において、ステップＳ１１における指定を絞り込まない場合は、提供先指定画面の領域５にて条件を指定することなく、提供先指定画面に掲載された検索ボタンを押下することになる。
【００５２】
提供先一覧画面に掲載された確定ボタンが押下されると、情報媒体提供サーバ２１の提供情報組立部２４において、ステップＳ１５，Ｓ１９，Ｓ２３における指定に基づいて、ダイレクトメールを作成するための情報媒体データが組み立てられるとともに、ステップＳ３４にて確定されたダイレクトメールの提供先に関する情報が宛先情報として組み合わされ（ステップＳ３６）、その後、サイト管理部２２において、ダイレクトメールのサンプルが掲載されたサンプル画面が作成され、送信される（ステップＳ３７）。また、ステップＳ３６にて組み立てられた情報媒体データは、提供情報データベース２９に登録される。
【００５３】
サイト管理部２２から送信されたサンプル画面は、端末１１−１にて受信され、表示される（ステップＳ３８）。
【００５４】
図９は、図１に示した情報媒体提供サーバ２１から送信され、端末１１−１にて受信、表示されるサンプル画面の一例を示す図である。
【００５５】
図９に示すように、本形態におけるサンプル画面においては、ステップＳ１５，Ｓ１９，Ｓ２３における指定に基づいて組み立てられ、さらに、その提供先の宛名が記載されたダイレクトメールのサンプルが掲載された領域７ａ，７ｂが設けられており、サンプル画面内の所定のボタンを押下することにより、提供先毎にダイレクトメールのサンプルが順次表示されることになる。また、サンプル画面内の所定の領域に提供先名を入力することにより、その提供先に対するダイレクトメールのサンプルを表示させることもできる。
【００５６】
その後、サンプル画面に掲載されたダイレクトメールの提供形態を指定することになる（ステップＳ３９）。
【００５７】
サンプル画面に掲載されたダイレクトメールを印刷発注する場合は、サンプル画面に設けられた印刷発注ボタンを押下すると（ステップＳ４０）、発注内容を確認するための発注確認画面がサイト管理部２２から送信され（ステップＳ４１）、端末１１−１にて受信、表示される（ステップＳ４２）。
【００５８】
サイト管理部２２から送信され、端末１１−１にて受信、表示される発注確認画面には、ステップＳ１１にて指定された条件や、ダイレクトメールの提供先の数や、ダイレクトメールの局出し日等が掲載されており、この内容が確認され、発注確認画面に設けられた確認ボタンが押下されると（ステップＳ４３）、情報媒体提供サーバ２１において、発注内容の承認のための処理が行われる（ステップＳ４４）。例えば、ネットワーク１２に接続可能に設けられた端末１１−１〜１１−ｎのうち、印刷発注のマネージメントを行うマネージャ等が扱う端末に対して、発注内容を電子メール等にて送信し、その電子メールに対する承認を得られた場合に、発注内容が承認されたものとされ、発注が受け付けられる（ステップＳ４５）。
【００５９】
情報媒体提供サーバ２１にて発注が受け付けられると、提供情報管理部２５において、提供情報データベース２９に登録された情報媒体データが、発注確認画面に掲載された局出し日にて局出しされるタイミングで印刷データとして印刷システム３０に対して出力される（ステップＳ４６）。
【００６０】
また、ステップＳ１１において、アクションプランとして、ダイレクトメールが発送される旨を電子メールにて通知することが指定されている場合は、メール配信部２６において、ダイレクトメールの提供先に対して、ダイレクトメールが郵送される旨が電子メールにて通知される（ステップＳ４７）。
【００６１】
その後、印刷システム３０において、提供情報管理部２５から出力された印刷データが印刷され、指定された局出し日に従って封入、封緘されて局出しされることになる。
【００６２】
一方、サンプル画面に掲載されたダイレクトメールをダウンロードする場合は、サンプル画面に設けられたダウンロードボタンを押下すると（ステップＳ４８）、情報媒体提供サーバ２１の提供情報管理部２５において、提供情報データベース２９に登録された情報媒体データがＰＤＦ形式のデータに変換され、端末１１−１に送信されるとともに（ステップＳ４９）、端末１１−１に送信されたダイレクトメールの数分課金される（ステップＳ５０）。なお、ダイレクトメールのデータのダウンロードに対する課金においては、既知の様々な方法によって行われる。
【００６３】
情報媒体提供サーバ２１から送信されたＰＤＦ形式の情報媒体データは、端末１１−１にて受信され（ステップＳ５１）、その後、端末１１−１に接続されたプリンタ（不図示）から印字出力されることになる。
【００６４】
なお、本形態においては、情報媒体提供サーバ２１から提供される情報画面を用いてダイレクトメールを作成し、このダイレクトメールを、印刷発注、あるいはＰＤＦ形式としてダウンロードして印刷するものを例に挙げて説明したが、ダイレクトメールに限らず、情報媒体として電子メールを用いる場合においても、本発明を適用し、電子メールに掲載される情報及び電子メールの送信先を指定し、指定された情報が掲載された電子メールを所望の提供先に送信することもできる。
【００６５】
【発明の効果】
以上説明したように本発明においては、提供先に応じた情報が掲載された情報媒体を提供する情報媒体提供システムにおいて、ネットワークに接続可能な端末と、ネットワークに接続可能に構成され、端末に提供される画面上における指定に従って、該指定に応じた情報素材を用いて情報媒体データを組み立てる情報媒体提供手段とを有し、情報媒体データによって作成される情報媒体が、端末に提供される画面上における指定に基づく提供先に提供される構成としたため、提供先となる顧客の属性情報や履歴情報等の提供先に関する情報のみならず、提供元における指定によって特定される情報が掲載された情報媒体を提供先毎に提供することができる。
【００６６】
また、情報媒体の提供方法を指定するための情報画面を端末に提供し、該情報画面における指定に基づく方法及び該方法に応じたタイミングで情報媒体が提供先に提供されるように情報媒体データあるいは情報媒体を出力する構成としたものにおいては、指定された方法及びタイミングで情報媒体を提供先に提供することができる。
【００６７】
また、情報画面における指定に基づいて、情報媒体が提供される旨を、該情報媒体の提供先に電子メールにて通知するものにおいては、情報媒体が提供される旨を該情報媒体の提供先にて予め認識することができる。
【００６８】
また、情報媒体データをＰＤＦ形式に加工し、端末に送信する構成としたものにおいては、端末に送信された情報媒体データを、端末に接続されたプリンタ等にて印字出力すれば、情報媒体を提供先に早急に提供することができる。
【図面の簡単な説明】
【図１】本発明の情報媒体提供システムの実施の一形態を示す図である。
【図２】図１に示した情報媒体提供システムにおける情報媒体提供方法を説明するためのフローチャートである。
【図３】図１に示した情報媒体提供サーバから送信され、端末にて受信、表示されるベース条件指定画面の一例を示す図である。
【図４】図１に示した情報媒体提供サーバから送信され、端末にて受信、表示される形状指定画面の一例を示す図である。
【図５】図１に示した情報媒体提供サーバから送信され、端末にて受信、表示されるテンプレート指定画面の一例を示す図である。
【図６】図１に示した情報媒体提供サーバから送信され、端末にて受信、表示される素材指定画面の一例を示す図である。
【図７】図１に示した情報媒体提供サーバから送信され、端末にて受信、表示される提供先指定画面の一例を示す図である。
【図８】図１に示した情報媒体提供サーバから送信され、端末にて受信、表示される提供先一覧画面の一例を示す図である。
【図９】図１に示した情報媒体提供サーバから送信され、端末にて受信、表示されるサンプル画面の一例を示す図である。
【符号の説明】
１０    情報提供企業
１１−１〜１１−ｎ，４０    端末
１２    ネットワーク
２０    データ管理会社
２１    情報媒体提供サーバ
２２    サイト管理部
２３    データベース管理部
２４    提供情報組立部
２５    提供情報管理部
２６    メール配信部
２７    顧客情報データベース
２８    情報素材データベース
２９    提供情報データベース
３０    印刷システム
【図１】
2004220401.tif 000003
【図２】
2004220401.tif 000004
【図３】
2004220401.tif 000005
【図４】
2004220401.tif 000006
【図５】
2004220401.tif 000007
【図６】
2004220401.tif 000008
【図７】
2004220401.tif 000009
【図８】
2004220401.tif 000010
【図９】
2004220401.tif 000011